(57)【要約】本発明は、ボリュームデータの投影像の表示を改善する。最小値投影法（ＭｉｎＩＰ）を使用し、液体で満たされた領域または低反射組織の他の領域を表示する。投影をボリューム内のパーシャルボリュームに限定することにより、特定の領域内の散乱強度の差を分離する。このようにして、弱く散乱する組織の高反射性を評価することができる。
2013500799.tif 000002
【特許請求の範囲】
【請求項１】
眼球の中の解剖領域の画像を生成する方法であって、前記眼球は光コヒーレンス断層撮影（ＯＣＴ）システムによって検査され、前記ＯＣＴシステムは、光のビームを生成する光源、サンプルアーム、参照アーム、ならびに前記サンプルアームおよび参照アームから組み合わせられる光を測定する検出器を含み、前記方法は、
前記サンプルアームにより前記眼球の領域上に前記光のビームをスキャンするステップと、
ａ．前記サンプルアームおよび参照アームからの前記光を組み合わせるステップと、
ｂ．前記組み合わせた光を測定して前記眼球の三次元ボリューム画像データを生成するステップと、
ｃ．前記画像データの中の第１の表面を特定するステップと、
ｄ．前記画像データのサブボリュームを特定するステップであって、前記サブボリュームは、前記第１の表面の前記特定に基づいて特定され、前記サブボリュームは、前記解剖領域を含む、前記サブボリュームを特定するステップと、
ｅ．前記サブボリュームの中の１組の像点を選択するステップであって、前記サブボリュームを通過する複数の射線投影を評価して、各投影において１つの像点を特定することによって、前記像点が選択され、且つ前記特定される像点のそれぞれは、共通の強度特性を有する、前記選択するステップと、
ｆ．前記選択した１組の像点に関連する情報に基づいて画像を生成するステップと、
ｇ．前記画像を記憶し、または表示するステップと
を備える、方法。
【請求項２】
前記共通の強度特性が、関連する射線投影の最小強度に相当する、請求項１に記載の方法。
【請求項３】
前記共通の強度特性が、関連する射線投影の最大強度に相当する、請求項１に記載の方法。
【請求項４】
前記共通の強度特性が、関連する射線投影の中央強度に相当する、請求項１に記載の方法。
【請求項５】
前記生成される画像が、前記選択した１組の像点のそれぞれの強度に直接基づく、請求項１に記載の方法。
【請求項６】
前記画像の生成が、関連する射線投影の範囲内の、前記選択した１組の像点のそれぞれに関連する位置情報に基づく、請求項１に記載の方法。
【請求項７】
前記生成される画像が、基準面に対する最小強度位置の高さマップである、請求項６に記載の方法。
【請求項８】
前記高さマップが、３Ｄボリューム内の表面として表示される、請求項７に記載の方法。
【請求項９】
サンプルの前記ボリューム画像内の第２の表面を特定するステップをさらに含み、前記サブボリュームが前記第１の表面および第２の表面に基づいて特定される、請求項１に記載の方法。
【請求項１０】
前記選択した１組の像点の位置に基づいて第２の表面を特定するステップをさらに含む、請求項１に記載の方法。
【請求項１１】
前記第２の表面が、前記選択した１組の像点に適合される滑面である、請求項１０に記載の方法。
【請求項１２】
前記生成される画像が、少なくとも１つの網膜断裂領域を含む、請求項１に記載の方法。
【請求項１３】
前記サブボリューム内の像点を選択する前に、前記サブボリューム内のデータを平滑化する、請求項１に記載の方法。
【請求項１４】
前記画像を表示する前に局所的正規化係数を適用することにより、前記画像ボリューム内の局所的な強度のばらつきを補償する、請求項１に記載の方法。
【請求項１５】
前記正規化係数は、関連する像点を選択した射線投影内の点の関数である、請求項１４に記載の方法。
【請求項１６】
眼球の画像を得るための機器であって、
ａ．光のビームを生成するための光源、サンプルアーム、参照アーム、前記サンプルアームおよび参照アームから組み合わせられる光を測定するための検出器、ならびに前記眼球上に前記光のビームをスキャンするためのスキャナを含む、光コヒーレンス断層撮影（ＯＣＴ）システムと、
ｂ．強度情報のボリュームから強度画像情報のサブボリュームを選択して、前記サブボリュームを通過する複数の射線投影のそれぞれに関連する単一の像点を特定することによって得られる二次元画像を生成するプロセッサと、
ｃ．ディスプレイまたはメモリのうちの一方であって、前記ディスプレイは前記画像を表示し、前記メモリは前記画像を記憶する、前記ディスプレイまたはメモリのうちの一方と
を備える、機器。
【請求項１７】
前記射線投影のそれぞれに関連する前記像点が、共通の強度特質を有する、請求項１６に記載の機器。
【請求項１８】
前記共通の強度特質が最小強度である、請求項１７に記載の機器。
【請求項１９】
眼科用の撮像方法であって、
ａ．眼球のボリューム画像を得ること、
ｂ．前記ボリューム画像内の画像情報のサブボリュームを特定すること、
ｃ．前記サブボリューム内の１組の二次元強度投影像を生成することであって、前記サブボリュームを通過する複数の射線投影のそれぞれに関連する単一の像点を特定することによって、前記強度投影像が得られる、前記１組の二次元強度投影像を生成すること、
ｄ．前記１組の強度投影像のうちの１つを選択すること、
ｅ．前記決定した強度投影像を記憶し、または表示すること
を備える、方法。
【請求項２０】
眼科用の撮像方法であって、
ａ．眼球のボリューム画像を得ること、
ｂ．画像情報のサブボリュームを特定すること、
ｃ．前記サブボリュームを通過させて複数の投影射線を投射すること、
ｄ．各投影射線に沿った位置の集合を特定することであって、前記集合は、前記サブボリューム内の前記投影射線の前記位置のすべてよりも少ない位置を含む、前記特定すること、
ｅ．射線ごとの前記位置の集合に関連する画像強度の非線形関数として、強度値を求めること、
ｆ．前記求めた強度値の画像を生成すること、
ｇ．前記画像を表示すること
を備える、方法。
【請求項２１】
眼球の中の解剖領域の画像を生成する方法であって、前記眼球は光コヒーレンス断層撮影（ＯＣＴ）システムによって検査され、前記ＯＣＴシステムは光のビームを生成する光源、サンプルアーム、参照アーム、ならびに前記サンプルアームおよび参照アームから組み合わせられる光を測定する検出器を含み、前記方法は、
ａ．前記サンプルアームにより前記眼球の領域上に前記光のビームをスキャンするステップと、
ｂ．前記サンプルアームおよび参照アームからの前記光を組み合わせるステップと、
ｃ．前記組み合わせた光を測定して前記眼球の中の三次元ボリューム画像データを生成するステップと、
ｄ．前記眼球の中の１対の表面の間に位置するデータのサブボリュームを特定するステップと、
ｅ．前記サブボリュームの中の１組の像点を選択するステップであって、前記像点は、前記サブボリュームを通過する複数の射線投影を評価し、各投影において１つの像点を特定することによって選択され、前記特定される像点のそれぞれは最小強度を有する、前記選択するステップと、
ｆ．前記選択した１組の像点に基づいて画像を生成するステップと、
ｇ．前記画像を記憶し、または表示するステップと
を備える、方法。
【発明の詳細な説明】
【技術分野】
【０００１】
本発明は、３Ｄ医用画像データの非線形投影に関し、具体的には細胞の状態を診断し、監視する際に使用する光コヒーレンス断層撮影法（「Optical Coherence Tomography:ＯＣＴ」）などの光学医用撮像に関する。
【背景技術】
【０００２】
超音波画像法、磁気共鳴画像法、コンピュータ断層撮影法、光コヒーレンス断層撮影法などの医用画像診断法において、ボリューム画像データが浸透している。ボリュームデータは体、特に人体の内部構造を安全かつ非侵襲的に直接観察することを可能にし、医療分野に革新をもたらした。近年、ボリュームレンダリング画像処理技法が使用されて、ボリュームデータを医療診断用に表示する画像を削減している。ボリュームレンダリングは、３Ｄ構造の２Ｄ投影像を市販の２Ｄディスプレイ上に表示することにより、三次元構造を視覚化できるようにする。
【０００３】
光コヒーレンス断層撮影法（ＯＣＴ）とは、限局された場所において高分解能の実時間光学撮像を行う技術である。ＯＣＴは、広帯域光源からの低コヒーレント光または可変波長レーザからの掃引光（ｓｗｅｅｐｉｎｇ  ｌｉｇｈｔ）を使用して、サンプル経路に沿った深部における後方散乱強度を測定する干渉信号を作り出す光学測定および撮像技法である。この深さプロファイルは一般に「Ａスキャン」と呼ばれる。一連の隣接するＡスキャン上でサンプルビームを横方向にスキャンすることにより断面像が合成され、一般にＢスキャンと呼ばれる２Ｄ断層像が作り出される。典型的には、ボリュームは一連のＢスキャン上でサンプルビームを横方向にスキャンすることによって取得されるが、ボリュームデータを取得するために、螺旋スキャンパターンなどの代替的スキャンパターンが提案されている。
【０００４】
ＯＣＴを使用した生体物質の評価については、１９９０年代初頭に最初に開示された（スワンソン（Ｓｗａｎｓｏｎ）らの米国特許第５，３２１，５０１号明細書を参照されたい）。最近では、周波数領域ＯＣＴ（frequency domain-OCT:ＦＤ−ＯＣＴ）が、速さおよび信号対雑音比の点で時間領域ＯＣＴに比べて著しい利点を有することが証明されている（ライトゲープ、アール、エー（Ｌｅｉｔｇｅｂ，Ｒ．Ａ．）ら（２００３年）光学エクスプレス（Ｏｐｔｉｃｓ  Ｅｘｐｒｅｓｓ）  １１：８８９−８９４）。周波数領域ＯＣＴ（ＦＤ−ＯＣＴ）と呼ばれることがあり、スペクトルレーダと呼ばれることもある（ヒースラー，ジー（Ｈａｅｕｓｌｅｒ，Ｇ）およびリンダー，ムウ（Ｌｉｎｄｅｒ，ＭＷ）、生物医学光学ジャーナル（Ｊｏｕｒｎａｌ  ｏｆ  Ｂｉｏｍｅｄｉｃａｌ  Ｏｐｔｉｃｓ）  Ｖｏｌ．３  Ｎｏ．１（１９９８年）２１−３１）スペクトル領域ＯＣＴ（ＳＤ−ＯＣＴ）では、干渉計からの干渉縞のスペクトル成分を調べることにより測定を実現する。
【発明の概要】
【発明が解決しようとする課題】
【０００５】
ボリュームデータは、画面上に表示するために、または紙に印刷するときに３Ｄから２Ｄに引き下げられる。米国特許第７，３０１，６４４号明細書では、キングストン（Ｋｎｉｇｈｔｏｎ）らがエンフェイス画像法（ｅｎ−ｆａｃｅ  ｉｍａｇｉｎｇ）と呼ばれる、３Ｄデータを２Ｄで表示するために引き下げる方法を開示している。この技法は、ボリュームデータ（または３Ｄデータセットのうちの関心を引くボリュームサブセット）を取得し、そのデータを各Ａラインに沿って積分（ｉｎｔｅｇｒａｔｅ）し、３Ｄデータセットから２Ｄ画像を作成する。この技法は、ＯＣＴのボリュームデータを見るための非常に有用なツールであることが証明されている。上記の内容に照らして、３ＤボリュームＯＣＴデータの２Ｄ画像を見るためのさらなる方法が当技術分野で求められている。本発明は、３Ｄボリュームデータセットから２Ｄ画像を作成して医療関連情報を表示するさらなる方法を提供する。
【課題を解決するための手段】
【０００６】
本発明は特許請求の範囲によって定められ、この節の中のいかなる内容も特許請求の範囲に対する限定として解釈すべきでない。有利には、本発明の諸実施形態はボリュームデータから抽出される医療関連情報を取得し、表示するさらなる手段を提供する。
【０００７】
本発明の一態様によれば、データのボリューム内の液体で満たされた領域または網膜断裂領域を検出するために、最小値投影法（ＭｉｎＩＰ）が使用される。
本発明の別の態様によれば、ボリューム情報は、パーシャルボリュームを通過した投影の前に減らされる、低強度のスペックルアーティファクトを有する。
【０００８】
本発明のさらに別の態様によれば、投影情報が、表示前に照度のばらつきに関して補償される。
本発明のさらに別の態様によれば、ＭｉｎＩＰは、Ａラインの集合に沿って見出され、最小強度点の座標位置が記憶される。これらの位置は、平滑化してから、平滑化済みの位置を最小強度高さマップとして表示する。
【０００９】
本発明のさらに別の態様によれば、ＭｉｎＩＰが計算されるパーシャルボリュームは、少なくとも１つの特定の位置に少なくとも部分的に応じて決定される。その特定の位置は、ユーザによって定義されても、ボリューム画像データから自動的に計算されてもよい。
【図面の簡単な説明】
【００１０】
【図１】ＩＬＭとＲＰＥとの間のパーシャルボリュームを使用したＭｉｎＩＰ表示の概略図である。
【図２】ＯＰＬとＲＰＥとの間のパーシャルボリュームを使用したＭｉｎＩＰ表示の概略図である。
【図３】具体化されたＭｉｎＩＰ表示アプリケーションのフローチャートである。
【図４】表示する強度を決定する元になる表面を求めるために、最小強度の位置を使用する、具体化された表示アプリケーションのフローチャートである。
【図５】高反射組織を示す画像である。
【図６】高反射組織および低反射組織の両方を示す画像である。
【図７】光コヒーレンス断層撮影システムの一設計を示す図である。
【発明を実施するための形態】
【００１１】
本明細書に示す諸実施形態は例であり、提示する説明は本発明の定義としてではなく、本発明の原理およびその実際の応用例を例示するために選択している。本発明の修正形態および改変形態が当業者には明らかになるであろう。本発明の範囲は、本出願の出願時に知られている等価物および予見できない等価物を含む、特許請求の範囲によって定める。
【００１２】
本明細書では、画像ボリュームの強度投影像は、投影射線をボリュームの中を通して投射し、各射線を表す単一の強度を決定することにより画像ボリュームに由来する、二次元強度画像である。最大値投影像（maximum intensity projection:ＭＩＰ）は、各射線において最も高い強度を有する画素をまず特定することによって作成される。次いで、それらの射線の位置を画像内の位置にマッピングし、各位置における画素の強度をその射線に関連する最も高い強度に設定することにより画像が作成される。同様に最小値投影像（minimum intensity projection:ＭｉｎＩＰ）は、結果が、射線に沿った最小強度であるように選択される強度投影像である。概して、ＭＩＰおよびＭｉｎＩＰは、ｘ軸、ｙ軸、もしくはｚ軸、または任意のあらゆる方向に沿って投影射線を投射することで形成することができる。ＭＩＰでは、選択されるそれぞれの点（point）は、その強度が投影射線に沿った他の任意の点の強度以上であるという特性を有する。同様に、ＭｉｎＩＰでは最小値の特性に従って点を選択する。投影アレイ（ｐｒｏｊｅｃｔｉｏｎ  ａｒｒａｙ）に沿った一部の点に、他の多くの特性があるとみなすことができる。例えば、投影射線に沿った中央強度に等しい強度で投影射線が投射されるボリュームの上部表面に最も近い位置は、投影射線ごとに単一の像点を選択するための別の特性を提供する。最大値、最小値、および中央値は非線形汎関数であり、線形汎関数の加法性（ａｄｄｉｔｉｖｉｔｙ  ｐｒｏｐｅｒｔｙ）は満たさない。対照的に、加法および積分は線形汎関数である。説明を簡単にするために、ＭｉｎＩＰをこの説明の全体にわたって使用する主な例とし、射線は通常はｚ軸に平行に投射する。
【００１３】
液体で満たされた領域が周囲組織よりも反射しない画像診断法では、最小値投影法（ＭｉｎＩＰ）が固有の表示技法を提供する。ＭｉｎＩＰは、液体で満たされた領域の境界の２Ｄ投影像を提供する。１９９０年代初頭、最小値投影法は、液体で満たされた領域を見つけるために核磁気共鳴画像法で使用されていた（米国特許第５，１８９，３６９号明細書、タカネ（Ｔａｋａｎｅ）ら）。眼科画像は独自の課題を示し、それは眼球自体が液体で満たされており、ＯＣＴ画像が、画像内の強度のばらつきを引き起こす後方散乱光の中の干渉縞であるスペックルを含むからである。スペックルは、高反射組織の真中に非常に低強度の反射を作り出すことができる。９０年代後半までには、スペックルを減らした超音波ボリュームによる射線投射投影のシステムが開示された（パットフィードらの米国特許第５，７７９，６４１号明細書）。スペックルは、空間合成もしくは周波数合成、画像データの低域フィルタリング、または他の手段によって減らすことができる。しかしこれらのシステムは、投影をパーシャルボリュームの中を通して（すなわち限られたボリューム領域を通して）投射する重要性を認識していない。
【００１４】
ＯＣＴにおいて、液体を視覚化する好ましい方法は、黄斑の全体的な厚さを測定することであった。この方法は、液体のポケットの輪郭を描くことができるが、輪郭を不正確に描く。ＭｉｎＩＰを使用する、本明細書に開示する本発明は、極めて小さな液体のポケット（pocket）を検出し得る。従来技術の取組みでは、液体のポケットを自動的に区分することを確実に行うのは困難であり、自動的に区分する際の誤りを訂正するための手動介入は多くの時間がかかり、かつオペレータに依拠する。本明細書に含める諸実施形態は、ボリューム情報は提供しないが、薬物治療を決定するために最も重要なことである、液体で満たされた領域を視覚化することを可能にする。レーザ治療では、液体病変の横位置および程度を知ることは、治療目標を必要な場所に精密に設定するために不可欠である。
【００１５】
最小値投影法（ＭｉｎＩＰ）は、データのボリューム内の投影経路に沿った最小輝度を探す投影アルゴリズムである。ＭｉｎＩＰは、弱い反射または深い陰影を探すときの、ボリューム画像を見る問題を解決する。後方散乱線を撮像する撮像システム、すなわちＯＣＴのような撮像システムでは、より反射的な領域で囲まれた低反射領域を容易に検知することができる。関心のあるすべての生体構造が強く反射しているとは限らない。往々にして、網膜内の低反射の液体ポケットなど、関心のある生体構造は弱く反射している。そのような生体構造は、最小値投影法を使用して最もよく視覚化することができる。
【００１６】
外核層（Outer Nuclear Layer:ＯＮＬ）は、通常は他の網膜組織ほど反射しない。通常よりも多くの光を後方散乱する組織は高反射である。逆に、通常よりも少ない光を後方散乱する組織は低反射である。ＯＮＬにおいて高反射性を引き起こすことがある、病気の網膜または断裂した網膜がある状態でも、ＯＮＬは近傍の網膜組織よりも低反射のままであることが多々ある。したがって、高反射のＯＮＬでさえ投影線に沿って見つかる最も低反射の組織である可能性があり、それ故に高反射のＯＮＬはＭｉｎＩＰ内に依然として現れるが、通常よりは明るくなる。網膜の外核層および通常暗い他の領域における高反射性は、網膜断裂領域上におよびその周囲に現れる可能性もある。
【００１７】
最も近代的な画像処理手順と同様に、好ましいＭｉｎＩＰの実装形態は、電子計算処理装置すなわちＣＰＵを用いる。そのＣＰＵは、ＰＣやワークステーションなどの汎用コンピュータ、またはデジタル信号プロセッサ（ＤＳＰ）、特定用途向け集積回路（ＡＳＩＣ）、書替え可能ゲートアレイ（ＦＰＧＡ）などの専用ＣＰＵ、または単一パッケージに完全に含まれる、もしくは複数のチップにわたって分散される他の任意の集積回路とすることができる。
【００１８】
本発明の一実施形態では、ＯＣＴ画像ボリュームと、２つの区分化された網膜の表面（例えばＩＬＭとＲＰＥ、またはＩＬＭとＩＳ／ＯＳ）とが必要である。２つの区分化された表面は、最小値投影を投射するパーシャルボリュームの境界を定める。表面の選択は、結果として生じるＭｉｎＩＰの表示に著しく影響を与えることがある。図１に示すデータは、ＭｉｎＩＰ１６０を、内境界膜（inner limiting membrane:ＩＬＭ）１１０と網膜色素上皮（retinal pigment epithelium:ＲＰＥ）１５０との間のパーシャルボリュームから生成する一例を示す。ＭｉｎＩＰを表す図示のストリップ（strip）１６０は、説明のために拡幅してある。射線に沿って投射される投影像は、単一の点または画素である。図１に示す広いバンドは、ＭｉｎＩＰの強度値をより見やすくする。
【００１９】
図１に示すデータの一例では、ＩＬＭ１１０とＲＰＥ１６０との間のパーシャルボリュームから生成されようと、ＩＬＭと光受容体の内節／外節（ＩＳ／ＯＳ）１４０間の境界との間のパーシャルボリュームから生成されようと、ＭｉｎＩＰ１６０は同じである。その理由は、ＩＳ／ＯＳについて示す強度が、ＩＳ／ＯＳの両側の隣接組織について示す強度よりも大きいからである。したがってＩＳ／ＯＳの強度は、選択される最小値にはならない。さらに、図示のデータは、ＩＳ／ＯＳの上の組織に劣らないほどの、ＩＳ／ＯＳとＲＰＥとの間の散乱組織の強度を有する。したがってこの例では、ＩＳ／ＯＳからＲＰＥまでのデータが、投影射線に沿った最小強度の強度を変えることはない。このデータは説明目的で選択したものであり、ＩＳ／ＯＳの下から返される後方散乱が、ＩＳ／ＯＳの上の後方散乱に由来する強度未満の強度を有し得ないことを決して含意するものではない。可能性はあるが、この例では有さない。
【００２０】
図２は、投影射線を投射するパーシャルボリュームを変えることにより、ＭｉｎＩＰがどのように変わり得るのかを示す。図２は、図１と同じ理論上の眼球を示す。つまり、図１および図２に示すデータは同じである。しかし、図１のＭｉｎＩＰ１６０が、ＩＬＭ１１０とＲＰＥ１５０との間のパーシャルボリュームから生成されたのに対し、ＭｉｎＩＰ２６０は、ＯＰＬ２３０とＲＰＥ２５０との間のパーシャルボリュームから生成される。液体で満たされた領域２３５は、外核層（ＯＮＬ）２４０の中にある。この例では、ＯＰＬとＲＰＥとの間でＭｉｎＩＰを投射したので、液体で満たされた領域２３５はＭｉｎＩＰストリップ２６０内で容易に識別することができる。しかし、ＭｉｎＩＰストリップ１６０内に現れた低反射領域２２５は、この表示を生成するために使用したパーシャルボリュームの中にはないので、ＭｉｎＩＰストリップ２６０内では検出することができない。
【００２１】
本発明の代替的実施形態では、ＯＣＴ画像ボリュームと、網膜の１つの区分（例えばＩＬＭ、ＲＰＥ、ＩＬＭ、またはＩＳ／ＯＳ）とが必要である。この場合、区分化された表面および定義済みのもしくは計算されたパラメータまたは表面が、最小値投影を行う際のパーシャルボリュームを定めることができる。このボリュームは、表面の所与の距離の範囲内にあるすべての点とすることができ、または表面の固定深度下（もしくは上）の範囲内にあるすべての点、もしくは固定オフセットから表面までの範囲内にあるすべての点、もしくは表面を基準にして定められる他のボリュームとすることができる。あるいは、表面は、区分化された表面に滑面を適合させることによって定めることができる。ボリュームは、複数の表面の間の空間として、または区分化された表面から固定距離オフセットされた表面と、計算された表面から固定距離オフセットされた表面との間の空間として、または２つの表面を基準にして定められる他のボリュームとして定めることができる。本発明のさらに別の実施形態では、画像ボリュームと、事前に定めたボリュームのサブセットとが必要である。この場合、最小値投影を行う際のパーシャルボリュームは、完全な画像ボリュームのうちの事前に定められたサブセットであるように選択される。
【００２２】
図３は、具体化されたＭｉｎＩＰ表示アプリケーションのフローチャートである。ボリュームデータ３１０をアプリケーションに入力する。上記に記載した方法の１つにより、または実際のボリュームのうちのサブボリュームを選択するための他の何らかの手段により、パーシャルボリュームを選択しまたは選ぶ（３２０）。一実施形態では、好ましくはスペックルセルよりも大きくかつ撮像しようとする物体よりも小さい平滑化フィルタにより、または他の実施形態では他の画像処理手段により、パーシャルボリューム内のスペックルを減らす（３３０）。パーシャルボリュームを通過させて射線を投射し（３４０）、各射線に沿った最小強度の位置および強度を求める（３５０）。最小強度から画像を形成し、その画像を表示する（３６０）。表示される画像は、最小強度値、または照度のばらつきに関して補償された正規化済みの最小強度値からなることができる。射線内の強度は、光がパーシャルボリュームに入る前に何を通過したのかによって影響を受ける。したがって、射線を照明光の方向に（ｚ軸に沿って）投射する場合、局所補償を、最小値を計算する前に投影射線に適用し、また特に補償が線形の場合は射線から選択される最小値に単純に適用することができる。例えば、表示される値は、パーシャルボリューム内の投影射線に沿った平均強度によって正規化される最小強度値とすることができる。この正規化係数は、投影射線の局所的近傍の範囲内にあるパーシャルボリューム内の点、または投影射線の局所的近傍の範囲内にある全ボリューム内の点からでさえ計算することができる。さらに、より魅力的な画像を提示するために、表示画素を平滑化することができる。この実施形態が、おそらくは本明細書に開示する本発明の最も単純な実施形態である。
【００２３】
前節の処理に従って決定される最小値投影像は「不自然な」見た目を有することがあり、その理由の一つは、画像内に表示される強度を得るための深さが非常に不規則であり、Ｘ−Ｙにおける小さな変化についてさえ、深さに関して大きく跳ね上がる可能性があるからである。最小強度を求める間、最小強度を得た画像ボリューム内の位置を保存し、その後使用することができる。最小強度を得る深さを、ｚｍｉｎ（ｘ，ｙ）で表す。つまりｚｍｉｎ（ｘ，ｙ）は、ＭｉｎＩＰ画像の（ｘ，ｙ）画素において表示される最小強度位置の深さである。点の集合（ｘ，ｙ，ｚｍｉｎ（ｘ，ｙ））に滑面を適合させ、平滑化された表面の一定マージンだけ上および一定マージンだけ下のボリューム画像の強度を積分することより、表示される画像の視覚的印象を改善し、より自然な見た目のエンフェイス（en-face）画像を得ることができる。二次元の二次曲面または四次曲面は概して十分に滑らかな輪郭線を与えるが、場合によっては適合させることにより所望の生体構造をなぞらないことがあり、その理由は、その生体構造が滑らか過ぎる、または異常な生体構造の領域が適合させることから適切に除外されていなかったからである。技術的には、滑らかに適合する表面の近傍において積分することにより生成されるエンフェイス画像は、もはや最小値投影法の表示画像ではない。ただし、そのような画像は、表示画像を計算するために最小値投影ボクセルを探すことを必要とする。エンフェイスが単一画素のみに関する極限では、滑面上の強度値が表示される。
【００２４】
あるいは、深さｚｍｉｎ（ｘ，ｙ）の位置を局所的近傍の範囲内にあるように制約する場合、表示画像の視覚的印象はより自然に見える。例えば、点の集合（ｘ，ｙ，ｚｍｉｎ（ｘ，ｙ））に適合される平滑化された表面を使用して新たなパーシャルボリュームを定めることが可能であり、そのボリュームについてＭｉｎＩＰを再計算することができる。あるいは、視覚的印象をより自然にすることは、まずＭｉｎＩＰの点の集合を同じようにうまく選択し、近傍のＭｉｎＩＰが、選択される近傍の位置の固定距離の範囲内にある１組の点から選択されるように、近傍位置における最小強度点を得るための検索をパーシャルボリューム内でさらに制約することにより残りの点を再計算することで実現することができる。
【００２５】
さらに別の代替策では、投影射線に沿った最小強度以外の強度を選択することができる。グレースケール画像データの強度は、平均値付近の強度を有するボクセルの数が、分布の末端における強度を有するボクセルの数よりもはるかに多いという点で、ガウス状の分布に準じて分布する。一部の領域では、射線に沿った画像データの最小値が射線ごとに統計的に変動し、その理由は、強度分布のうちの僅かな場所しか占めない末端に最小値が生じるからである。第５百分位数の強度など、最小値よりも僅かに高い強度水準を選択することで、より多くの場所を占め、したがって統計変動により左右されず、さらに最小値の特徴の大部分を保つ強度分布の一部を選択する。したがって、投影射線に沿った第５百分位数の強度値を選択することは、最小値投影法よりも滑らかで雑音の少ない画像を作り出すが、液体で満たされた領域の全高が網膜の厚さの５％未満の場所では液体を示すことができない可能性がある。
【００２６】
図４は、開示する本発明の代替的実施形態を示す。ボリュームデータを取得し（４１０）、パーシャルボリュームを選択する（４２０）。データ内のスペックルを減らしてから（４３０）射線を投射し（４４０）、投射する射線に沿った最小強度の位置および強度を求める（４５０）。この実施形態では、投射する射線に沿った最小値から表示強度を間接的に決定するので、この方法を実施するために必要な射線だけを投射する（４６０）。ほとんどの場合、画像ボリュームの分解能以下の射線を多く投射すればするほど、最終的な表示はより優れ、より正確なものになる。投射した射線に沿う最小強度が見つかった位置は、パーシャルボリューム内の点である。これらの位置から表面を求める（４７０）。その表面は、位置の点自体の集合とすることができ、またはそれらの位置に適合される表面、もしくは最小強度点の位置から別の方法で決定される任意の表面とすることができる。４８０の平滑化された表面が４７０の表面と同じであるように複数の点から直接滑面を求め（４８０）、または滑面を４７０の表面から求める。この滑面は、ボリューム内になければならない。ボリューム内の画像画素の強度を使用して滑面上の位置における強度を求め（４９０）、その滑面上の強度を使用して表示用の画像を作成する（４９５）。先の例にあるように、表示画像は、計算された強度値、または照度のばらつきに関して補償された正規化済みの計算された強度値からなることができる。さらに、より魅力的な画像を提示するために、表示画素を平滑化することができる。
【００２７】
あるいは、最小強度画素の位置を使用して最小強度高さマップを作成することができる。つまり、最小強度位置の高さのマップを求めることができる。投影射線をＺ軸に平行に投射する場合、高さは単にその射線に沿った位置（または高さを計算する起点に応じた、その位置からの一定のオフセット）に過ぎない。投影射線がＺ軸に対して平行ではなく、むしろＺ軸に対して角度θにある場合、起点の適切な選択に関し、実際の高さは射線に沿った最小強度の位置に比例する。その比例関係は、すべての射線について一定である。この最小強度高さマップは、高さが色または輝度によってエンコードされる、３Ｄボリュームからレンダリングされる表面として、または２Ｄ画像として表示することができる。この高さは、ＲＰＥの位置、または他の何らかの区分化されもしくは適合された画像ボリュームの表面の位置を基準にして有益に表示することができる。
【００２８】
図４に照らして、４７０に示す投影射線に沿った最小強度の位置の代わりに、強度が例えば第５百分位数の値を得る、投影射線に沿った位置を選択することができる。これらの値を得た位置を取得し、（最小値の位置の代わりに）それらの位置を使用して４７０の表面を求めることができる。当然ながら、統計的に、第５０百分位数に近づくにつれ、同じ強度を有する複数の位置を見つける尤度は高くなる。この場合、図４の様式に従う方法を実施するとき、複数の位置のうちの１つを選ぶ選択を行わなければならない。この選択は、明らかなバイアスが付随する、単に最初に見つけたそのような点とすることができ、または局所クラスタリングの近似に基づいて位置を選択することができる。位置の集合から１つの位置を選択する他の手段が、当業者には明らかになるであろう。
【００２９】
取得画像データの多くの形式は、スペックルと呼ばれる画像アーティファクトを含む。画像スペックルは、概してウェーブイメージングに関連する現象であり、検出器における波の干渉の結果として生じる。ＯＣＴ画像データおよび超音波画像データ（２Ｄまたはボリューム）は、概してスペックルを含む。様々な波形の干渉が、画像ボリューム内の検出強度の変動を引き起こす。最小値投影を行う前に、スペックルを有するボリューム画像データには、高強度反射の近傍に作り出されるヌル強度を減らすために、少なくとも軽いスペックル低減処理を行うべきである。軽いスペックル低減が好ましい理由は、強反射の近傍の深いヌルを除去するのに軽いスペックル低減で大抵十分であり、より強いスペックル低減技法は、概してより多くのデータを必要とし、より長い時間がかかること及びデータが劣化する（smear）ことのうちの少なくとも一方である。概して、スペックル直径の２倍にわたり平均すれば十分である。スペックルを減らした後、区分境界間のまたはパーシャルボリュームの端から端までの最小強度、すなわち最も暗い階調レベルを得るためにそれぞれの軸方向スキャンを分析する。
【００３０】
あるいは、軸方向スキャンの方向とは異なる方向に、パーシャルボリュームを通過させて投影を行うことができる。この異なる方向の投影は、概して補間を必要とし、計算速度の点で効率の悪さを招く。したがって、軸方向に沿って投影することが好ましい。
【００３１】
先に論じたように、ＭｉｎＩＰ表示の「不自然な」見た目を除去する１つの手法は、最小強度を得た位置の集合に由来する滑面周囲のエンフェイスを積分することである。表示のこの「不自然な」見た目を除去するもう１つの代替策は、最小値を全体的に定めることである。つまり、ある強度投影像の集合にわたるメトリック（metric）を定め、最小強度の強度投影像を選択して表示することができる。
【００３２】
例えば、ｚＩＬＭ（ｘ，ｙ）がＩＬＭの区分を表し、ｚＲＰＥ（ｘ，ｙ）がＲＰＥの区分を表す場合、ＩＬＭとＲＰＥとの間の一群の表面は次式で表される。
ｚｍｉｘ（ｆ，ｘ，ｙ）＝ｆ＊ｚＩＬＭ（ｘ，ｙ）＋（１−ｆ）＊ｚＲＰＥ（ｘ，ｙ）
ただしｆは、概してＯＮＬ内に収まる暗画像を作成するために選択される０から１の間の所望の小数である。例えば、ｆ＝０．１，０．２，．．．，０．９についての１組の画像を生成することができ、最も小さい中央強度を有する画像を選択することが可能である。
【００３３】
ボリュームの表面投影像の任意の一群を選択することができ、それにより、最小値表面を選択可能なメトリックを適用することができる。そのメトリックは、投影像の中央強度、または表面の平均強度、または表面の絶対最小強度、または他の任意のメトリックとすることができる。一群の投影像のメトリックを比較し、最も小さいメトリックを有する投影像を表示用に選択する。複数の表面がそのメトリックと同じ極小値を有する場合、これらのうちの１つを選ぶためのシステムを選択しなければならない。最小値を有する最初の表面、または最小値を有する最後の表面を選択することができる。あるいは選択肢を表示することができ、オペレータが１つ選択することも可能である。あるいは、その一群がパラメータで表される場合、固定値に最も近いパラメータを有する表面を選択することができる。
【００３４】
最小強度が見つかる位置の集合を平滑化し、その平滑化した表面周囲のエンフェイスを積分しようと、最小強度が見つかる位置の集合に滑面を適合させ、その滑面周囲のエンフェイスを積分しようと、滑面の集合を選択し、それらのうちで最も小さいものを探そうと、投影像はＭｉｎＩＰのような画像を提供するが、表示データの変化する深さに由来する、より少ない不連続性を有する。とはいえ、画像化した表面の滑らかさの制約が原因で、小さな液体のポケットまたは他の小さな暗い領域を示すことができない点で、それらはＭｉｎＩＰとは異なる。
【００３５】
外核層（ＯＮＬ）２４０は、一つには区分化するのが困難であるという理由で、ＯＣＴの研究ではほとんど注目されなかった。健康な黄斑における最小強度は通常この層の中にある。このＯＮＬは、網膜の断裂が生じる場所、例えば網膜の液体ポケット付近または網膜下色素上皮液上で、明らかに一層反射する。長期臨床研究は、この高反射性が将来の異変位置を予測するかどうかを示すことができる。ＲＰＥを基準にした最小強度の軸方向位置も、高さの増加が網膜外側の高反射性を示すことで、網膜の限局性断裂を示すことができる。
【００３６】
最小値投影（ＭｉｎＩＰ）における興味深い情報の一部は、網膜の断裂によって引き起こされる可能性があるＯＮＬの高反射性を検出することによってもたらされる。この種の撮像では、最小強度を投影するパーシャルボリュームがＯＮＬを含まなければならない。最小強度は、網膜の健康な領域において、約９９％の確率でＯＮＬの中にある。良好で信頼できるＯＮＬの区分を有さない場合、ＭｉｎＩＰが、ＯＮＬの高反射性を調べるための代替的方法である（とはいえ、ＭｉｎＩＰにおける明るい領域は、ＯＮＬが完全に萎縮して消えた（ａｔｒｏｐｈｉｅｄ  ａｗａｙ）ことを意味することもできる）。ＯＮＬを見ていることを確実にするために、ＯＰＬの表面とＩＳ／ＯＳの表面との間の領域にパーシャルボリュームを限定するのが最善策である。ＩＳ／ＯＳは場合によっては存在しない、またはＯＣＴ画像の中で見えないことがあるので、パーシャルボリュームをＯＰＬとＲＰＥとの間に限定することがより確実である。ＯＰＬでさえ区分化するのは困難であり、パーシャルボリュームをＩＬＭとＲＰＥとの間に取得する場合にも結果は依然として興味深い。あるいはパーシャルボリュームを、ＲＰＥの固定距離上までの、ＲＰＥよりも上のボリューム、またはＲＰＥからＩＬＭまでの一定の割合の距離にある表面までの、ＲＰＥよりも上のボリュームとなるように取得することができる。これらのパーシャルボリュームは、ＯＮＬの全部ではないが、大部分を取り入れるために概して使用することができる。パーシャルボリュームは他の組織を含むことがあるが、周囲組織は概してより明るく、したがってＯＮＬがひどく断裂し、ＭｉｎＩＰがその断裂した場所で示すよりも一層高反射である場合にのみＭｉｎＩＰ内に現れる。
【００３７】
図５は、ＩＬＭとＲＰＥとの間に取り、ＯＮＬ内の高反射組織を含むパーシャルボリュームを使用したＭｉｎＩＰ画像である。高反射領域は、円５１０の中に見られる。領域５１０内の平均強度が通常領域５２０の平均強度よりも著しく高いので、この領域は高反射性を有すると判定される。高反射性は、中央値など、平均値以外の統計値を使用して判定することができる。普通に反射する組織と異常に反射する組織との間で統計的に有意味の区別をもたらす任意の統計値で十分だが、結果の質は異なり得る。
【００３８】
図６は、もう１つのＭｉｎＩＰ画像であり、ここでもＩＬＭとＲＰＥとの間に取り、ＯＮＬ内の高反射組織および低反射組織を含むパーシャルボリュームを使用する。高反射領域は、円６１０の中に見られる。領域６１０内の平均強度が通常領域６３０の平均強度よりも著しく高いので、この領域は高反射性を有すると判定される。低反射領域は、円６２０の中に見られる。領域６２０内の平均強度が通常領域６３０の平均強度よりも著しく低いので、この領域は低反射率を有すると判定される。普通に反射する組織と異常に反射する組織との間で統計的に有意味の区別をもたらす任意の統計値で十分だが、結果の質は異なり得る。
【００３９】
図７は、本発明を実装するために使用することができるＯＣＴ装置を示す。この種のＯＣＴ装置に関するさらなる情報は、参照により本明細書に組み込まれる米国特許出願公開第２００７／０２９１２７７号明細書に開示されている。低コヒーレンス光源７００、典型的には超放射発光ダイオード（ＳＬＤ）が光源ファイバ７０５に結合され、その光源ファイバ７０５は光を方向性結合器７１０に送る。結合の最適な方向強度はシステムの設計上の選択によって決まり、（図７に示すように）９０／１０もしくは７０／３０、またはＳＬＤの後方反射許容差（ｂａｃｋ  ｒｅｆｌｅｃｔｉｏｎ  ｔｏｌｅｒａｎｃｅ）、サンプルを撮像するために必要な光源照度、および他のシステム設計パラメータに応じ、他の選択肢とすることができる。方向性結合器７１０は、光をサンプルファイバ７１５および参照ファイバ７３５に分離する。サンプル経路は、サンプル経路の長さを調節するための遅延機器（不図示）を含むことができる。横断スキャナ７２０は、ＯＣＴビームを偏向させ、好ましくはサンプル７３０内の注目領域の近くにビームの焦点を作る。横断スキャナは、サンプルのボリュームを撮像するために、サンプルを横断して光ビームを横方向にスキャンする。
【００４０】
サンプル７３０から散乱される一部の光が、スキャナおよび遅延機器を介してサンプルファイバ７１５に戻る。結合器７１０は、この光をループ７６０を介してファイバ結合器７５０に送り、ファイバ結合器７５０においてこの光は参照光と干渉する。組合せ結合器７５０は、２つの出力をもたらす。これらの出力は、平衡検出のために使用することができる（米国特許第５，３２１，５０１号明細書、図１０参照）。あるいは、結合器７５０の結合比は、干渉光の大部分を単一のＯＣＴ検出器７７０に送るように調節することができる。各ＯＣＴ検出器は、時間領域ＯＣＴまたは波長掃引型ＯＣＴで使用する単一の光検出器、またはスペクトル領域ＯＣＴで使用する分光計とすることができる。
【００４１】
オプションのタップ７４０が、光源のパワーを監視するために使用することができる検出器７４５に参照光の一部を転送する。監視することを含んで、サンプルの安全性が監視されるか、または光源７００の劣化が検出されることができる。あるいは、監視することをシステム内に全く含めなくてもよい。タップは、参照ファイバ７３５から光パワーのある一部分を除去し、結合器７５０に到達するパワーを低減する。参照パワーが、干渉信号を受信機雑音より上に至らせるのに十分大きいが、強度雑音またはビート雑音をショット雑音の水準より上に至らせる程大きくない場合、ＯＣＴの感度はショット雑音限界に達することができる。
【００４２】
方向性結合器７１０、７４０、および７５０の結合比は、サンプルへの照度の安全な水準を設定し、１以上の検出器における適切な参照パワーを設定するように選択される。例えば、ほぼ８５０ｎｍの波長を有する光を使用する網膜の眼科用ＯＣＴの場合、安全な照射水準は約０．５ｍＷであり、検出器における最適な参照水準は約０．００５ｍＷである。光源は、約５ｍＷの出力パワーを有するこの波長範囲内で利用可能である。これらの条件では、光源のパワーのうちの１０％がサンプルに到達するように、分配結合器７１０においてほぼ９０％／１０％の結合比を使用することになる。後方散乱光の９０％はループ７６０に送られる。単一のＯＣＴ検出器７７０がある場合には、組合せ結合器７５０は、好ましくはサンプル光の大部分をその検出器に送る。分配結合器７１０は、光源光の９０％、４．５ｍＷを参照ファイバ７３５に送るのに対し、検出器では０．００５ｍＷしか必要でない。参照光の０．１％を単一のＯＣＴ検出器７７０内に結合する組合せ結合器７５０を使用することができるが、製造の際に０．１％の結合係数を管理するのは困難である。好ましい解決策は、組合せ結合器７５０において９９％／１％の分配比を使用し、タップ７４０におけるさらなる自由度をうまく活用して参照パワーを調節することである。この例では、公称上は参照ファイバ７３５からのパワーの８９％をタップすることにより、ＯＣＴ検出器７７０において０．００５ｍＷの適切な参照水準がもたらされる。
【００４３】
オプションのタップ７４０のタップ比を調節する代替策として、参照経路内に減衰ファイバ（米国特許第５，６３３，９７４号明細書）を含めることにより、参照水準を調節することができる。
【００４４】
検出器７７０の出力は、プロセッサ７８０に送られる。このプロセッサは、その処理部分について優先的に最適化される単一の装置または複数の装置とすることができる。プロセッサ７８０は、ディスプレイ７９０などのユーザインターフェイス装置を提供する１台以上の周辺機器に接続される。プロセッサは、不図示の他のユーザインターフェイス装置（キーボード、マウス、ジョイスティックなど）、および１つまたは複数の外部通信装置（ＵＳＢまたはネットワークコネクタ、光学記憶媒体、プリンタ、インターネットなど）にも接続される場合があり、さらには、他の撮像ハードウェア（カメラ、固視標、眼底ビューワなど）または患者用周辺装置（ヘッドサポート、高さ調整器など）に接続される。プロセッサ７８０は、医療用の撮像および分析に必要な像形成、ボリュームレンダリング、区分化、重ね合せ、費用関数の評価、および他の計算タスクなどの機能のうちの少なくとも一つを処理する（１以上のモジュール内の）計算能力を提供する。処理された結果は、ディスプレイ７９０上に表示し、またはローカル記憶装置（不図示）上に局所的に記憶し、またはプロセッサの外部通信装置の１以上を使用して外部に記憶もしくは表示させることができる。
【００４５】
これらの実施形態、例、および説明は、本発明の原理およびその実際の応用例を例示するために選択して記載したものであり、網羅的であることも、本発明を開示した厳密な形態に限定することも意図しないことを理解すべきである。上記の教示に照らし、本発明の修正形態および改変形態が当業者には明らかになるであろう。例えば、本明細書では極値を最小値として記載したが、代わりの設計基準の下では、最大値を使用して本発明を実行することができる。これらの実施形態は、本発明の原理およびその実際の応用例を説明して、当業者が本発明を様々な実施形態で、および考えられた特定の使用法に適した様々な修正を加えて最もよく利用できるようにするために選択して記載した。本発明の範囲は、本出願の出願時に知られている等価物および予見できない等価物を含む、特許請求の範囲によって定める。
【００４６】
以下の参照文献は、参照により本明細書に組み込まれる。
米国特許文献
米国特許第５，１８９，３６９号明細書  Ｔａｋａｎｅら  ＮＭＲ  ｉｍａｇｉｎｇ  ｍｅｔｈｏｄ  ｏｆ  ｌｏｗ  ｆｌｏｗ  ｒａｔｅ  ｆｌｕｉｄ
米国特許第５，３２１，５０１号明細書  Ｓｗａｎｓｏｎら  Ｍｅｔｈｏｄ  ａｎｄ  ａｐｐａｒａｔｕｓ  ｆｏｒ  ｏｐｔｉｃａｌ  ｉｍａｇｉｎｇ  ｗｉｔｈ  ｍｅａｎｓ  ｆｏｒ  ｃｏｎｔｒｏｌｌｉｎｇ  ｔｈｅ  ｌｏｎｇｉｔｕｄｉｎａｌ  ｒａｎｇｅ  ｏｆ  ｔｈｅ  ｓａｍｐｌｅ
米国特許第５，７７９，６４１号明細書  Ｈａｔｆｉｅｌｄら  Ｍｅｔｈｏｄ  ａｎｄ  ａｐｐａｒａｔｕｓ  ｆｏｒ  ｔｈｒｅｅ−ｄｉｍｅｎｓｉｏｎａｌ  ｕｌｔｒａｓｏｕｎｄ  ｉｍａｇｉｎｇ  ｂｙ  ｐｒｏｊｅｃｔｉｎｇ  ｆｉｌｔｅｒｅｄ  ｐｉｘｅｌ  ｄａｔａ
米国特許第６，４３６，０４９号明細書  Ｋａｍｉｙａｍａら  Ｔｈｒｅｅ−ｄｉｍｅｎｓｉｏｎａｌ  ｕｌｔｒａｓｏｕｎｄ  ｄｉａｇｎｏｓｉｓ  ｂａｓｅｄ  ｏｎ  ｃｏｎｔｒａｓｔ  ｅｃｈｏ  ｔｅｃｈｎｉｑｕｅ
米国特許第６，５０１，２７２号明細書  Ｈａａｃｋｅら  Ａｐｐｌｉｃａｔｉｏｎ−ｓｐｅｃｉｆｉｃ  ｏｐｔｉｍｉｚａｔｉｏｎ  ｏｆ  ｅｃｈｏ  ｔｉｍｅ  ｉｎ  ＭＲ  ｐｕｌｓｅ  ｓｅｑｕｅｎｃｅｓ  ｆｏｒ  ｉｎｖｅｓｔｉｇａｔｉｎｇ  ｍａｔｅｒｉａｌｓ  ｗｉｔｈ  ｓｕｓｃｅｐｔｉｂｉｌｉｔｉｅｓ  ｄｉｆｆｅｒｅｎｔ  ｆｒｏｍ  ｔｈａｔ  ｏｆ  ｔｈｅ  ｂａｃｋｇｒｏｕｎｄ  ｉｎ  ｗｈｉｃｈ  ｔｈｅｙ  ａｒｅ  ｅｍｂｅｄｄｅｄ
米国特許第６，５０５，０６４号明細書  Ｌｉｕら  Ｄｉａｇｎｏｓｔｉｃ  ｉｍａｇｉｎｇ  ｓｙｓｔｅｍｓ  ａｎｄ  ｍｅｔｈｏｄｓ  ｅｍｐｌｏｙｉｎｇ  ｔｅｍｐｏｒａｌｌｙ  ｒｅｓｏｌｖｅｄ  ｉｎｔｅｎｓｉｔｙ  ｔｒａｃｉｎｇ
米国特許第６，６５８，２８０号明細書  Ｈａａｃｋｅ；Ｅ．Ｍａｒｋ  Ｓｕｓｃｅｐｔｉｂｉｌｉｔｙ  ｗｅｉｇｈｔｅｄ  ｉｍａｇｉｎｇ
米国特許第７，３０１，６４４号明細書  Ｋｎｉｇｈｔｏｎら  Ｅｎｈａｎｃｅｄ  ｏｐｔｉｃａｌ  ｃｏｈｅｒｅｎｃｅ  ｔｏｍｏｇｒａｐｈｙ  ｆｏｒ  ａｎａｔｏｍｉｃａｌ  ｍａｐｐｉｎｇ
米国特許出願公開第２００８／０１００６１２号明細書  Ｄａｓｔｍａｌｃｈｉ；Ｓｈａｈｒａｍ  Ｓｈａｗｎら  Ｕｓｅｒ  ｉｎｔｅｒｆａｃｅ  ｆｏｒ  ｅｆｆｉｃｉｅｎｔｌｙ  ｄｉｓｐｌａｙｉｎｇ  ｒｅｌｅｖａｎｔ  ＯＣＴ  ｉｍａｇｉｎｇ  ｄａｔａ
米国特許出願公開第２００７／０２９１２７７号明細書  Ｅｖｅｒｅｔｔ；Ｍａｔｔｈｅｗ  Ｊら  Ｓｐｅｃｔｒａｌ  ｄｏｍａｉｎ  ｏｐｔｉｃａｌ  ｃｏｈｅｒｅｎｃｅ  ｔｏｍｏｇｒａｐｈｙ  ｓｙｓｔｅｍ
他の刊行物
Ｌｅｉｔｇｅｂ，Ｒ．Ａ．，ｅｔ  ａｌ．（２００３）「Ｐｅｒｆｏｒｍａｎｃｅ  ｏｆ  Ｆｏｕｒｉｅｒ  ｄｏｍａｉｎ  ｖｓ．  ｔｉｍｅ  ｄｏｍａｉｎ  ｏｐｔｉｃａｌ  ｃｏｈｅｒｅｎｃｅ  ｔｏｍｏｇｒａｐｈｙ」  Ｏｐｔｉｃｓ  Ｅｘｐｒｅｓｓ  １１（８）：８８９−８９４
Ｈａｕｓｌｅｒ，Ｇ．ａｎｄ  Ｍ．Ｗ．Ｌｉｎｄｎｅｒ（１９９８）「”Ｃｏｈｅｒｅｎｃｅ  Ｒａｄａｒ”  ａｎｄ  ”Ｓｐｅｃｔｒａｌ  Ｒａｄａｒ”−Ｎｅｗ  Ｔｏｏｌｓ  ｆｏｒ  Ｄｅｒｍａｔｏｌｏｇｉｃａｌ  Ｄｉａｇｎｏｓｉｓ」  Ｊｏｕｒｎａｌ  ｏｆ  Ｂｉｏｍｅｄｉｃａｌ  Ｏｐｔｉｃｓ  ３（１）：２１−３１
Ｎａｐｅｌ  Ｓ，Ｒｕｂｉｎ  ＧＤ，Ｊｅｆｆｒｅｙ  ＲＢ  Ｊｒ．「ＳＴＳ−ＭＩＰ：ａ  ｎｅｗ  ｒｅｃｏｎｓｔｒｕｃｔｉｏｎ  ｔｅｃｈｎｉｑｕｅ  ｆｏｒ  ＣＴ  ｏｆ  ｔｈｅ  ｃｈｅｓｔ」  Ｊ．Ｃｏｍｐｕｔ  Ａｓｓｉｓｔ  Ｔｏｍｏｇｒ  １９９３；１７：８３２−８３８
Ｎａｒａｙａｎａ  ＤＬＶ  Ｒａｏ，Ｍａｎｐｒｅｅｔ  Ｓｉｎｇｈ  Ｇｕｌａｔｉ，Ｓｈａｓｈｉ  Ｂａｌａ  Ｐａｕｌ，Ｇｉｒｉｓｈ  Ｋｕｍａｒ  Ｐａｎｄｅ，Ｐｅｕｓｈ  Ｓａｈｎｉ  ａｎｄ  Ｔｕｓｈａｒ  Ｋａｎｔｉ  Ｃｈａｔｔｏｐａｄｈｙａｙ「Ｔｈｒｅｅ−ｄｉｍｅｎｓｉｏｎａｌ  ｈｅｌｉｃａｌ  ｃｏｍｐｕｔｅｄ  ｔｏｍｏｇｒａｐｈｙ  ｃｈｏｌａｎｇｉｏｇｒａｐｈｙ  ｗｉｔｈ  ｍｉｎｉｍｕｍ  ｉｎｔｅｎｓｉｔｙ  ｐｒｏｊｅｃｔｉｏｎ  ｉｎ  ｇａｌｌｂｌａｄｄｅｒ  ｃａｒｃｉｎｏｍａ  ｐａｔｉｅｎｔｓ  ｗｉｔｈ  ｏｂｓｔｒｕｃｔｉｖｅ  ｊａｕｎｄｉｃｅ：Ｃｏｍｐａｒｉｓｏｎ  ｗｉｔｈ  ｍａｇｎｅｔｉｃ  ｒｅｓｏｎａｎｃｅ  ｃｈｏｌａｎｇｉｏｇｒａｐｈｙ  ａｎｄ  ｐｅｒｃｕｔａｎｅｏｕｓ  ｔｒａｎｓｈｅｐａｔｉｃ  ｃｈｏｌａｎｇｉｏｇｒａｐｈｙ」  Ｊｏｕｒｎａｌ  ｏｆ  Ｇａｓｔｒｏｅｎｔｅｒｏｌｏｇｙ  ａｎｄ  Ｈｅｐａｔｏｌｏｇｙ，Ｖｏｌｕｍｅ  ２０，Ｉｓｓｕｅ  ２，Ｐａｇｅｓ  ３０４−３０８，１９  Ｊａｎ  ２００５．
Ａ．Ｓａｌｌｅｓ，Ｍ．Ｎｉｎｏ−Ｍｕｒｃｉａ，Ｒ．Ｊｅｆｆｒｅｙ「ＣＴ  ｏｆ  ｐａｎｃｒｅａｓ：ｍｉｎｉｍｕｍ  ｉｎｔｅｎｓｉｔｙ  ｐｒｏｊｅｃｔｉｏｎｓ」  Ａｂｄｏｍｉｎａｌ  Ｉｍａｇｉｎｇ，Ｖｏｌｕｍｅ  ３３，Ｎｕｍｂｅｒ  ２，Ｍａｒｃｈ  ２００８，ｐｐ．２０７−２１３（７）．
【図１】
2013500799.tif 000003
【図２】
2013500799.tif 000004
【図５】
2013500799.tif 000005
【図６】
2013500799.tif 000006
【図３】
2013500799.tif 000007
【図４】
2013500799.tif 000008
【図７】
2013500799.tif 000009
【国際調査報告】
2013500799.tif 000010
2013500799.tif 000011